(57)【特許請求の範囲】
【請求項１】
骨中に固定するための螺条付きインプラント部材（１）、及びインプラント部材（１）に取り付けられることができる素子（４）を含むインプラントであって、前記インプラント部材（１）は、固定ユニット（５）によって前記素子（４）をインプラント部材（１）に固定するための固定穴（１ｃ）をその上方部に持ち、固定穴（１ｃ）の中心軸（５ａ）がインプラント部材（１）の縦軸（１ｂ）に関して傾斜しているものにおいて、前記素子（４）の縦方向における素子（４）の中心軸（４ｇ）がインプラント部材の前記縦軸（１ｂ）の延長と本質的に一致すること、及び素子（４）がねじ込み道具（６）と共働するための手段（４ｄ）を備えており、前記手段が素子の中心軸（４ｇ）周りに同心的に配置されていることを特徴とするインプラント。
【請求項２】
ねじ込み道具（６）と共働するための前記手段（４ｄ）が、素子（４）の上方部（４ａ）に配置されたキーグリップであることを特徴とする請求項１に記載のインプラント。
【請求項３】
素子（４）が、インプラント部材（１）の上方部（１ｄ）と共働するその部分に、インプラント部材（１）上の対応する傾斜面（１ｅ）に対して適用される傾斜面（４ｉ）を持つことを特徴とする請求項１に記載のインプラント。
【請求項４】
素子（４）が、インプラント部材（１）に関して回転して固定されること、素子（４）が、インプラント部材（１）中の固定穴（１ｃ）に関して同心的な傾斜凹所（４ｃ）を備えていること、及び前記固定ユニット（５）の外方部（５ｂ）が、前記傾斜凹所（４ｃ）内に少なくとも部分的に係合されることができることを特徴とする請求項１に記載のインプラント。
【請求項５】
キーグリップが、ねじ込み道具（６）と共働するための二つまたはそれ以上の辺を持つことを特徴とする請求項２に記載のインプラント。
【請求項６】
素子（４）が、フランジ（４ｈ）と、追加的な歯科部材を固定するための螺条付き穴（４ｅ）と、前記螺条付き穴（４ｅ）の底の下で横断方向に延びかつ貫通開口である穴（４ｆ）とを持つことを特徴とする請求項１に記載のインプラント。
【発明の詳細な説明】
【０００１】
技術分野
本発明はねじ込み／締め付け道具により人体の骨、例えば顎骨、内に螺条付きインプラントを固定することを可能とする構成に関する。その上方部に、インプラントはインプラントに取り付けられることができ、この場合フィクスチャーホルダー、フィクスチャー、スペーサ、等からなることができる素子を固定することを意図した好ましくはねじの形の装置のための固定穴を持つ。固定穴の中心軸はまたインプラントの縦軸に関して傾斜している。
【０００２】
この発明はまた螺条付きインプラントに取り付けられることのできる例えばフィクスチャーホルダー、フィクスチャー、スペーサ、等の形の素子の使用に関し、そこではインプラントは骨、例えば顎骨、中に道具によりねじ込まれ、インプラントは問題の素子のための好ましくはねじの形の固定装置のための固定穴を持つ。
【０００３】
先行技術
この発明は更に特にスウェーデン特許９２０３５６３−３及びＰＣＴ出願ＷＯ  ９６／１８３５５に記載されたタイプのインプラントのねじ込み機能と関連する。このタイプのインプラントの特徴はインプラントのためのフィクスチャーにまたは実際のインプラント自体に配置されることのできる傾斜した螺条付き穴の存在である。穴の中心軸はインプラントの回転軸に関して傾斜している。更にフィクスチャー、スペーサ、等をインプラントに固定するとき、固定穴の雌ねじ中に緊密にねじ込まれることのできる固定ねじが使用される。
【０００４】
前記ＰＣＴ文献はインプラントを問題の骨中に緊密にねじ込む目的のためにインプラントの上方部に連結されるねじ込み道具の使用の可能性を述べている。
【０００５】
発明の説明
技  術  問  題
信頼性のあるかつできるかぎり簡素化された締め付け機能が見出される必要がある。この発明は特にこの問題を解決することを意図している。
【０００６】
前記ＰＣＴ文献はフィクスチャーをインプラントに固定するための固定ねじを用いる道具を提案している。この道具は固定穴の延長と一致するまたは構成する傾斜した凹所を備えている。この場合固定ねじがまず取り外され、道具が道具の凹所がインプラントの凹所に関して同心的に配置されているような方式で適用され、その後でそれらは前記固定ねじにより緊密にねじ込まれることができる。インプラントが締め付けられたとき、固定ねじはゆるめられ取り外され、その後で道具はまた取り外されることができる。この工程は長い工程である。道具の傾斜凹所は深く、問題の固定ねじのねじ込み、ねじをゆるめる、等の時に問題が起こる。本発明はこの問題もまた解決することを意図している。
【０００７】
インプラントの骨中への締め付けまたはねじ込み時に固定ねじ上に作用させないことが望ましいであろう。この発明はこの問題もまた解決する。
【０００８】
解    決    策
この発明による構成を特徴づけるものと主として考えられる特徴は特に、前記装置（ねじ）により取り付けられることのできる素子（フィクスチャーホルダー、フィクスチャー、等）が道具と共働する手段を備えていること、及び素子とその共働する手段が道具の回転軸が本質的にインプラントの回転軸の延長と一致することを確実とする方法で道具の適用を可能とするように配置されていることである。
【０００９】
この発明による構成は、道具により発揮される締め付け機能が、素子（フィクスチャーホルダー、フィクスチャー、スペーサ、等）がそれを介して素子が固定装置によりインプラント内に固定される第一部分と、第一部分から離れておりかつ道具のための共働手段を持つ第二部分を持つという事実によって、この装置（ねじ）により発揮される固定機能とは別のものであるという事実により特徴づけられると主として考えることができる。
【００１０】
この構成の実施態様は添付従属請求の範囲に特定されている。
【００１１】
この発明による使用は、素子（フィクスチャーホルダー、フィクスチャー、スペーサ、等）が道具と共働する手段を持ち、この手段に道具がインプラントの回転軸の延長と本質的に一致するその回転軸を持って適用されるという事実によって素子が道具と共に締め付け操作に使用されるという事実により、特徴づけられると主として考えられることができる。
【００１２】
前記使用の更なる展開は添付従属請求の範囲に特定されている。
【００１３】
利        点
上に提案された解決策により、顎骨内のインプラントのための極めて簡素化されたかつ高価でない締め付け機能が得られる。小さな締め付けねじの取扱いが避けられ、インプラントを回転しまたはねじ込むためにインプラントへの簡単な適用が実現されることができる。道具のための施錠機能が、通常の施錠ねじがそれ自身知られた態様で使用されることができるという事実により、極めて簡素化されることができる。組み合わされた素子、すなわちフィクスチャーホルダー、フィクスチャー、スペーサ、等、を持つインプラントが一つのユニットとして供給されることができ、このユニットに対し締め付け道具が極めて簡単でかつ効果的な態様で適用されることができる。
【００１４】
図面の説明
この発明の顕著な特徴を持つ構成と使用の現在提案された実施例が添付図面に関して以下に説明されるであろう。図面において：
図１は道具（ねじ込み道具）により顎骨中に部分的にねじ込まれたインプラントを垂直部分断面で示し、
図２はインプラント中にねじ込まれたフィクスチャーホルダーを一緒に持つインプラントを垂直断面で図１に関して拡大して示し、
図３はフィクスチャーホルダーの上部に配置され道具と共働することのできる手段の平面図であり、
図４はフィクスチャーホルダーの設計を線Ａ−Ａに沿った垂直断面で示し、
図５はインプラント上のナット形状部の設計を上から斜めに示し、
そして
図６は図５による組み合わされたナット形状部を持つインプラントの上部を横から示す。
【００１５】
詳細な実施例
図１と２において、インプラントが１により示されている。インプラントは顎骨２中にねじ込まれることを意図しており、それは前もって穿孔された穴３中にねじ込まれることができる。インプラントはセルフタッピングタイプのものであることができ、この場合雄ねじ１ａを備えている。インプラントの上部に例えばフィクスチャーホルダーの形の素子４が取り付けられている。これはねじ５または他の固定装置により取り付けられまたは適用されることができる。例えばシャフト状部６ａとハンドル部６ｂを持つねじ込み道具６の形の道具が素子の上方部または部分４ａに取り付けられ／適用されることができる。道具は例えば施錠ねじ７の形の施錠装置を備えている。フィクスチャーホルダー４は第一部分４ａから離れている第二部分４ｂを備えている。
【００１６】
インプラントの回転軸（縦軸）は１ｂにより示され、ねじ５の縦軸または回転軸は５ａにより示されている。インプラントは傾斜した、螺条付き凹所１ｃを持ち、その中にねじ５がねじ込まれまたは装置が固定されることができる。穴の中心軸はねじの中心軸５ａと一致する。穴の中心軸はインプラントの縦軸１ｂに関して、ある角度、例えば約４５°の角度で傾斜している。前記第二部分４ｂはホルダーがインプラント上のその固定位置にあるとき凹所１ｃに関して同心的な凹所４ｃを持つ。ねじ５のヘッド５ｂはホルダーがインプラント内のその固定位置にあるとき凹所４ｃ内に部分的に係合される。
【００１７】
ホルダー４の上方部分４ａはキーグリップ４ｄを備えている。ホルダー４は追加的に上部が開放している中央凹所４ｅ（螺条付きとされることができる）、及び凹所の底部内に横断凹所４ｆを備えている。ホルダーの中心線４ｇは本質的にインプラントの回転軸１ｂと一致する。穴４ｅの中心線はホルダー４の中心線４ｇと一致する。ホルダーの肩部は４ｈにより示される。インプラントの上部は１ｄにより示される。
【００１８】
図３は道具６のための四辺キーグリップを示し、道具は対応する内部四壁凹所６ｃ（図１）を備えている。キーグリップは他の辺数を持つことができ、凹所６ｃは同様に対応する他の壁数を持つことができる。肩部４ｈを支える部分は約６ｍｍの直径を持つことができ、キーグリップの外部寸法ｄは約３．９ｍｍであることができる。
【００１９】
図４は凹所４ｃが副凹所４ｃ′及び４ｃ″中に貫通することを示し、その中の４ｃ′は螺条付きである。凹所４ｃ′の直径は肩４ｃ′′′を形成するように凹所４ｃの直径より小さく、ねじ５の下側５ｂ′（図２参照）がねじがねじ込まれた位置にあるときその肩と共働しまたはその肩の上にそれが支えられる。ホルダー４は傾斜した表面４ｉを持ち、それは軸４ｇに関して約４５°の角度αで傾いている。
【００２０】
図５と６はインプラントの外形を示し、この場合それは六角ナット１ｃを含み、このナットに対しホルダー４は１ｃの外形に相当する内部六角形状を持って設計されている凹所４ｃ″により回転して嵌合されることができる。他の辺数が使用されることができる。
【００２１】
この場合の方法はホルダーがまずナット形状１ｃの上に凹所４ｃ″を持ってくることによりインプラントに固定され、その後で部材５が適用され固定される（ねじ込まれる）。道具はその後でその対応する四辺凹所６ｄを介して四辺形状４ｄの上に係合されることができ、その後で施錠部材７が作動される（施錠ナットが締め付けられる）。インプラントが顎骨２中に完全にねじ込まれると、施錠部材７が奪活され、道具６がホルダー４から取り外される。ホルダーはこの方法でその場所に残されることができ、すなわち装置またはねじ５は取り外され、緊密にねじ込まれそして最終的にそれぞれの凹所中に再びねじ戻されるためにもう一度取り外される必要がない。
【００２２】
かくしてこの新構成は道具により発揮される締め付け機能が前記装置またはねじ５により発揮される固定機能とは別のものであるという事実により特徴づけられる。前記機能はホルダー、スペーサ、フィクスチャー、等の別の部分に属させることができ、この部分はかくして離れているかまたは別個のものとされる。例えば上記によるホルダーの形の一素子がこの場合道具によるねじ込み機能で使用されることができ、道具は道具の６ｄがインプラントの縦軸１ｂと一致するような方法で適用される。図１を参照すれば道具の縦軸６ｄの方向がそれぞれインプラントとフィクスチャーホルダーの縦軸１ｂと４ｇの延長と一致することが分かる。
【００２３】
図６は１ｅで示されたインプラントの傾斜面を示す。この面はインプラントの縦軸１ｂに関して角度α′により傾いており、この角度は本質的に図４の角度αに相当する。この構成はまた表面４ｉと１ｅが互いに支え合うとき、縦軸４ｇと１ｂが本質的に一致するようなものであり、これはまたキーグリップ４ｄがホルダーの縦軸４ｇの周りに同心的に配置されているので道具の縦軸６ｄについても真実である。
【００２４】
この発明は例として上に示された実施例に限定されず、添付特許請求の範囲及び発明思想の範囲内で改変されることができる。
【図面の簡単な説明】
【図１】  道具（ねじ込み道具）により顎骨中に部分的にねじ込まれたインプラントを垂直部分断面で示す。
【図２】  インプラント中にねじ込まれたフィクスチャーホルダーを一緒に持つインプラントを垂直断面で図１に関して拡大して示す。
【図３】  フィクスチャーホルダーの上部に配置され道具と共働することのできる手段の平面図である。
【図４】  フィクスチャーホルダーの設計を線Ａ−Ａに沿った垂直断面で示す。
【図５】  インプラント上のナット形状部の設計を上から斜めに示す。
【図６】  図５による組み合わされたナット形状部を持つインプラントの上部を横から示す。
【図１】
0004253438.tif 000002
【図２】
0004253438.tif 000003
【図３】
0004253438.tif 000004
【図４】
0004253438.tif 000005
【図５】
0004253438.tif 000006
【図６】
0004253438.tif 000007